(57)【特許請求の範囲】
【請求項１】
ショルダー・ブラケットが、肩先側にフック掛け開口部を、ヘッドレスト側に解除ノブ開口部を開口し、そして、外席シート・バック・フレームの肩に固定的に取り付けられ、表皮が、そのショルダー・ブラケットに被さる部分に適宜の大きさのブラケット開口部を切り抜き、そのブラケット開口部の少なくとも背当て面側開口縁を折り返し縫いし、そのショルダー・ブラケットにそのブラケット開口部を合わせてパッドに被せられ、そして、そのショルダー・ブラケットのそのフック掛け開口部および解除ノブ開口部の背当て面側開口縁にその開口縁折返し縫い端をそのショルダー・ブラケットの外側から巻き付けてそのショルダー・ブラケットの内側に折り込んで引っ掛け、そして、外席ベルト・ガイドが、肩先側にスリット付きベルト通し穴を、ヘッドレスト側に解除ノブ・ガード・カバーを有し、外周に起し形状フランジを有し、そして、内側面に複数のフックを突き出す形状に成形され、そして、その表皮上からそのショルダー・ブラケットに被せられ、そのショルダー・ブラケットのそのフック掛け開口部および解除ノブ開口部の開口縁にそのフックの爪を引っ掛けてそのショルダー・ブラケットにねじ止めされ、そして、その起し形状フランジでそのショルダー・ブラケットにその表皮を押し付けて挟むところの自動車のリア・シートに用いる外席シート・バック。
【請求項２】
そのショルダー・ブラケットが、そのフック掛け開口部とその解除ノブ開口部を互いにつなぐ請求項１に記載の自動車のリア・シートに用いる外席シート・バック。
【請求項３】
そのベルト・ガイドが、ヘッドレスト側に解除ノブ・ガード・カバー取付け座を備え、そして、その解除ノブ・ガード・カバーが、内側面に複数のフックを突き出す形状でそのベルト・ガイドから別体成形され、そのベルト・ガイドのその解除ノブ・ガード・カバー取付け座上に置かれてそのショルダー・ブラケットのその解除ノブ開口部の開口縁にそのフックの爪を引っ掛けてそのベルト・ガイドに固定的に組み付けられる請求項１に記載の自動車のリア・シートに用いる外席シート・バック。
【発明の詳細な説明】
【技術分野】
【０００１】
この発明は、自動車のリア・シートに用いる外席シート・バックに関し、詳細には、その外席シート・バックにおいて外席ベルト・ガイドの廻りで表皮の捲れを防止する、特に、その外席ベルト・ガイドの前側でその表皮の捲れを防止するところに関する。
【背景技術】
【０００２】
自動車のリア・シートに用いるシート・バックは、ロック機構で起立状態にロックされ、また、そのロック機構がロック解除機構で解除されて前倒しされるのが一般的で、そのリア・シート・バックにおいては、外席シート・バックは外側肩にベルト・ガイドを取り付けてそのベルト・ガイドでシート・ベルトが案内され、そのベルト・ガイドはまた、そのロック解除機構の解除ノブの保護カバーにも活用される。
その場合、表皮はそのベルト・ガイドでシート・バック・フレームのショルダー・ブラケットに押し付けられ、挟み付けられて固定されるが、その表皮はそのベルト・ガイドにラップする量が少ないので、そのベルト・ガイド廻りで、特に、そのベルト・ガイドの前側でその表皮の捲れが生じる恐れがある。
【先行技術文献】
【特許文献】
【０００３】
特許第３０９９３６７号公報
【発明の概要】
【発明が解決しようとする課題】
【０００４】
この発明の課題は、外席ベルト・ガイドの廻りで、特に、その外席ベルト・ガイドの前側で表皮の捲くれを防止するところの自動車のリア・シートに用いる外席シート・バックを提供するところにある。
【課題を解決するための手段】
【０００５】
この発明の自動車のリア・シートに用いる外席シート・バックは、ショルダー・ブラケットが、肩先側にフック掛け開口部を、ヘッドレスト側に解除ノブ開口部を開口し、そして、外席シート・バック・フレームの肩に固定的に取り付けられ、表皮が、そのショルダー・ブラケットに被さる部分に適宜の大きさのブラケット開口部を切り抜き、そのブラケット開口部の少なくとも背当て面側開口縁を折り返し縫いし、そのショルダー・ブラケットにそのブラケット開口部を合わせてパッドに被せられ、そして、そのショルダー・ブラケットのそのフック掛け開口部および解除ノブ開口部の背当て面側開口縁にその開口縁折返し縫い端をそのショルダー・ブラケットの外側から巻き付けてそのショルダー・ブラケットの内側に折り込んで引っ掛け、そして、外席ベルト・ガイドが、肩先側にスリット付きベルト通し穴を、ヘッドレスト側に解除ノブ・ガード・カバーを有し、外周に起し形状フランジを有し、そして、内側面に複数のフックを突き出す形状に成形され、そして、その表皮上からそのショルダー・ブラケットに被せられ、そのショルダー・ブラケットのそのフック掛け開口部および解除ノブ開口部の開口縁にそのフックの爪を引っ掛けてそのショルダー・ブラケットにねじ止めされ、そして、その起し形状フランジでそのショルダー・ブラケットにその表皮を押し付けて挟む。
【発明の効果】
【０００６】
この発明では、その表皮がそのブラケット開口部の少なくとも背当て面側開口縁を折り返し縫いし、その開口縁折返し縫い端をそのショルダー・ブラケットの外側から巻き付けてそのショルダー・ブラケットの内側に折り込んで引っ掛けるので、その外席ベルト・ガイドに対する表皮ラップ量が少なくてもその外席ベルト・ガイド廻りで、特に、その外席ベルト・ガイドの前側でその表皮の捲くれが防止され、長期間使用されても形崩れが無く、商品性が高められる。
【図面の簡単な説明】
【０００７】
【図１】ワゴンのリア・シートン活用されたところのこの発明の自動車のリア・シートに用いる外席シート・バックの具体例を示した斜視図である。
【図２】外席ベルト・ガイドを示した正面図である。
【図３】図２の３−３線に沿って示した断面図である。
【発明を実施するための形態】
【０００８】
この発明の自動車のリア・シートに用いる外席シート・バックは、ショルダー・ブラケットが、肩先側にフック掛け開口部を、ヘッドレスト側に解除ノブ開口部を開口し、そして、外席シート・バック・フレームの肩に固定的に取り付けられ、表皮が、そのショルダー・ブラケットに被さる部分に適宜の大きさのブラケット開口部を切り抜き、そのブラケット開口部の少なくとも背当て面側開口縁を折り返し縫いし、そのショルダー・ブラケットにそのブラケット開口部を合わせてパッドに被せられ、そして、そのショルダー・ブラケットのそのフック掛け開口部および解除ノブ開口部の背当て面側開口縁にその開口縁折返し縫い端をそのショルダー・ブラケットの外側から巻き付けてそのショルダー・ブラケットの内側に折り込んで引っ掛け、そして、外席ベルト・ガイドが、肩先側にスリット付きベルト通し穴を、ヘッドレスト側に解除ノブ・ガード・カバーを有し、外周に起し形状フランジを有し、そして、内側面に複数のフックを突き出す形状に成形され、そして、その表皮上からそのショルダー・ブラケットに被せられ、そのショルダー・ブラケットのそのフック掛け開口部および解除ノブ開口部の開口縁にそのフックの爪を引っ掛けてそのショルダー・ブラケットにねじ止めされ、そして、その起し形状フランジでそのショルダー・ブラケットにその表皮を押し付けて挟む。
【０００９】
そのショルダー・ブラケットが、そのフック掛け開口部とその解除ノブ開口部を互いにつないで開口されてもかまわないし、また、そのベルト・ガイドが、ヘッドレスト側に解除ノブ・ガード・カバー取付け座を備え、そして、その解除ノブ・ガード・カバーが、内側面に複数のフックを突き出す形状でそのベルト・ガイドから別体成形され、そのベルト・ガイドのその解除ノブ・ガード・カバー取付け座上に置かれてそのショルダー・ブラケットのその解除ノブ開口部の開口縁にそのフックの爪を引っ掛けてそのベルト・ガイドに固定的に組み付けられてもかまわない。
【実施例１】
【００１０】
以下、特定されて図示された具体例に基づいて、この発明の自動車のリア・シートに用いる外席シート・バックを説明するに、図１ないし図３は、ワゴンのリア・シートに活用されたところのこの発明の自動車のリア・シートに用いる外席シート・バックの具体例１０を示し、そして、この外席シート・バック１０は、左のリア・シート・バックでシート・バック・フレーム１１にシート・バック・パッド１３を組み付け、それに表皮１４を被せて固定し、そして、ヘッドレスト１５を取り外し可能に取り付けて組み立てられる。この外席シート・バック１０は、そのシート・バック・フレーム１１の裏面にバック・パネル１２を溶接し、そのバック・パネル１２の左右のボトム・コーナーに左右のU字形据付けワイヤ（図示せず）を対応的に溶接してその左右のU字形据付けワイヤでそのワゴンのフロアの後方箇所に取り付けられる。
その左右のU字形据付けワイヤは、そのバック・パネル１２の左右のボトム・コーナーに溶接された左右のコーナー・ブラケット（図示せず）を対応的に囲むようにしてそのバック・パネル１２のその左右のボトム・コーナーに溶接される。
【００１１】
この外席シート・バック１０は、また、ロック機構（図示せず）を備え、そして、そのロック機構がロック解除機構（図示せず）の解除ノブ（図示せず）を操作してそのロック解除機構で解除されると、その外席シート・バック１０は、外席シート・クッション（図示せず）上に前倒しされる。この外席シート・バック１０では、外席ベルト・ガイド２２が外側肩に取り付けられたので、その解除ノブはその外席ベルト・ガイド２２の内側に突き出され、その外席ベルト・ガイド２２を保護カバーに活用している。
【００１２】
次に、この外席シート・バック１０においてその外席ベルト・ガイド２２の廻りでその表皮１４の捲くれを防止する構造について詳述するに、この外席シート・バック１０では、ショルダー・ブラケット１６が、肩先側にフック掛け開口部１７を、ヘッドレスト側に解除ノブ開口部（図示せず）を開口し、そして、そのシート・バック・フレーム１１、すなわち、外席シート・バック・フレーム１１の肩に溶接され、また、その表皮１４が、そのショルダー・ブラケット１６に被さる部分に適宜の大きさのブラケット開口部１９を切り抜き、そのブラケット開口部１９の背当て面側開口縁２０を折り返し縫いし、そのショルダー・ブラケット１６にそのブラケット開口部１９を合わせてそのシート・バック・パッド１３に被せられ、そして、そのショルダー・ブラケット１６のそのフック掛け開口部１７および解除ノブ開口部の開口縁１８にその開口縁折返し縫い端２０をそのショルダー・ブラケット１６の外側から巻き付けてそのショルダー・ブラケット１６の内側に折り込んで引っ掛け、さらに、その外席ベルト・ガイド２２が、肩先側にスリット付きベルト通し穴２３を、ヘッドレスト側に解除ノブ・ガード・カバー２５を有し、外周に起し形状フランジ２６を有し、そして、内側面２８に複数のフック２９、３０を突き出す形状に成形され、そして、その表皮１４上からそのショルダー・ブラケット１６に被せられ、そのショルダー・ブラケット１６のそのフック掛け開口部１７および解除ノブ開口部の開口縁１８の適宜の箇所にそのフック２９、３０の爪を引っ掛けてそのショルダー・ブラケット１６にねじ止めされ、そして、その起し形状フランジ２６でそのショルダー・ブラケット１６にその表皮１４を押し付けて挟む。
【００１３】
そのショルダー・ブラケット１６は、プレス機で所定の厚さの鋼板から長方形に打ち抜かれ、その際、そのプレス機でそのフック掛け開口部１７をその解除ノブ開口部とを互いに連続した状態で打ち抜かせて成形される。
また、その外席ベルト・ガイド２２は、硬質樹脂から成形され、そして、そのスリット２４を付けたそのベルト通し穴２３よりも背裏面の側に複数のねじ沈み穴（図示せず）を備える。
【００１４】
その外席ベルト・ガイド２２には、そのスリット付きベルト通し穴２３にその解除ノブ・ガード・カバー２５を一体的に成形した構造が採られたが、外席ベルト・ガイド（図示せず）は、ヘッドレスト側に解除ノブ・ガード・カバー取付け座（図示せず）を備え、そして、その解除ノブ・ガード・カバー（図示せず）は、内側面に複数のフック３０、３０を突き出す形状でその外席ベルト・ガイドから別体に成形され、その外席ベルト・ガイドのその解除ノブ・ガード・カバー取付け座上に置かれてそのショルダー・ブラケット１６のその解除ノブ開口部の開口縁に適宜の箇所にそのフック３０、３０の爪を引っ掛けてその外席ベルト・ガイドに固定的に組み付けられる構造を硬質樹脂から成形されてもかまわない。
【００１５】
したがって、この外席シート・バック１０では、その表皮１４がそのブラケット開口部１９の少なくとも背当て面側開口縁２０を折り返し縫いし、そのショルダー・ブラケット１６にそのブラケット開口部１９を合わせてそのシート・バック・パッド１３に被せられ、そして、そのショルダー・ブラケット１６のそのフック掛け開口部１７および解除ノブ開口部の開口縁１８にその開口縁折返し縫い端２１をそのショルダー・ブラケット１６の外側から巻き付けてそのショルダー・ブラケット１６の内側に折り込んでそのショルダー・ブラケット１６の開口縁１８に引っ掛け、そして、その外席ベルト・ガイド２２のその起し形状フランジ２６でそのショルダー・ブラケット１６に押し付けられて挟みとめされるので、その外席ベルト・ガイド２２に対する表皮ラップ量が少なくてもその外席ベルト・ガイド２２の廻りで、特に、その外席ベルト・ガイド２２の前側でその表皮１４の捲くれが防止され、長期間使用されても形崩れが無く、商品性が高まる。
【００１６】
先に図面を参照して説明されたところのこの発明の特定された具体例から明らかであるように、この発明の属する技術の分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。
【産業上の利用可能性】
【００１７】
上述から理解されるように、この発明の自動車のリア・シートに用いる外席シート・バックは、ショルダー・ブラケットが、肩先側にフック掛け開口部を、ヘッドレスト側に解除ノブ開口部を開口し、そして、外席シート・バック・フレームの肩に固定的に取り付けられ、表皮が、そのショルダー・ブラケットに被さる部分に適宜の大きさのブラケット開口部を切り抜き、そのブラケット開口部の少なくとも背当て面側開口縁を折り返し縫いし、そのショルダー・ブラケットにそのブラケット開口部を合わせてパッドに被せられ、そして、そのショルダー・ブラケットのそのフック掛け開口部および解除ノブ開口部の背当て面側開口縁にその開口縁折返し縫い端をそのショルダー・ブラケットの外側から巻き付けてそのショルダー・ブラケットの内側に折り込んで引っ掛け、そして、外席ベルト・ガイドが、肩先側にスリット付きベルト通し穴を、ヘッドレスト側に解除ノブ・ガード・カバーを有し、外周に起し形状フランジを有し、そして、内側面に複数のフックを突き出す形状に成形され、そして、その表皮上からそのショルダー・ブラケットに被せられ、そのショルダー・ブラケットのそのフック掛け開口部および解除ノブ開口部の開口縁にそのフックの爪を引っ掛けてそのショルダー・ブラケットにねじ止めされ、そして、その起し形状フランジでそのショルダー・ブラケットにその表皮を押し付けて挟むところの自動車のリア・シートに用いる外席シート・バックでは、その外席ベルト・ガイドに対する表皮ラップ量が少なくてもその外席ベルト・ガイドの廻りで、特に、その外席ベルト・ガイドの前側でその表皮の捲くれが防止され、長期間使用されても形崩れが避けられて商品性が高められ、その結果、自動車のリア・シートにとって非常に有用で実用的である。
【符号の説明】
【００１８】
１０  外席シート・バック
１１  シート・バック・フレーム／外席シート・バック・フレーム
１２  バック・パネル
１３  シート・バック・パッド
１４  表皮
１５  ヘッドレスト
１６  ショルダー・ブラケット
１７  フック掛け開口部
１８  開口縁
１９  ブラケット開口部
２０  背当て面側開口縁
２１  開口縁折返し縫い端
２２  外側ベルト・ガイド
２３  ベルト通し穴
２４  スリット
２５  解除ノブ・ガード・カバー
２６  起し形状フランジ
２７  ノブ操作窓
２８  内側面
２９  フック
３０  フック
【図１】
0005468405.tif 000002
【図２】
0005468405.tif 000003
【図３】
0005468405.tif 000004